(57)【要約】【課題】従来の光触媒を使用した空気清浄機は、臭気成分を除去できない。また、活性炭を使用することにより臭気成分を除去可能となるがメンテナンスフリーでなくなる。そのため、臭気成分を除去でき、かつメンテナンスフリーの装置の出現が切望されている。【解決手段】空気流路中の所定箇所表面に、粉砕した電気石を主成分とする光触媒５を定着すると共に、この光触媒５を定着した箇所に対向して光触媒励起光源６を設ける。さらに、光触媒５を定着する箇所の裏面や上流側に、加熱手段２２や除湿手段７を設ける。前記光触媒励起光源６は、発光ダイオードを使用するとよい。【選択図】      図１
2005087220.tif 000002
【特許請求の範囲】
【請求項１】
空気流路中の所定箇所表面に、少なくとも粉砕した電気石を含む光触媒を定着すると共に、この光触媒を定着した箇所に対向して光触媒励起光源を設け、
さらに、前記空気流路中の光触媒を定着させた箇所の上流側に、除湿手段を設けることを特徴とする脱臭装置。
【請求項２】
空気流路中の所定箇所に光触媒励起光源を設けると共に、この光触媒励起光源に対向して加熱手段を設け、
当該加熱手段の表面に、少なくとも粉砕した電気石を含む光触媒を定着することを特徴とする脱臭装置。
【請求項３】
前記光触媒励起光源が、約６０ｎｍ〜４７０ｎｍの波長の光を発する発光ダイオードであることを特徴とする請求項１又は２に記載の脱臭装置。
【発明の詳細な説明】
【０００１】
【発明の属する技術分野】
本発明は、生ごみの臭気等を除去する装置の改良に関する。
【０００２】
【従来の技術】
従来の空気清浄装置には、集塵用フィルタと光触媒を併用したものがある。集塵用フィルタにはナイロン、レーヨン、綿等によるネットや不織布が使用されており、花粉・塵等の空気中の浮遊物をこれで除去している。また、光触媒には酸化チタンが使用されており、これに紫外線を照射して励起し、ＮＯｘやＣＯ等の有害物質を分解除去している。
【０００３】
しかし、前記従来の空気清浄装置では、生ごみの臭気等を除去する効果は少ない。さらに、紫外線照射用光源として紫外線ランプを使用しているので、電力消費量が多く、また装置が大きくなるという欠点がある。
そこで、活性炭を併用することにより臭気を除去するという方法も考えられるが、活性炭は処理能力に限界があり、一定期間使用後新しいものに交換する必要が生じ、いわゆるメンテナンスフリーではない。
【０００４】
【発明が解決しようとする課題】
本発明は、上記欠点を解消し、特に生ごみの臭気を除去でき、かつメンテナンスフリーの脱臭装置を提供することを目的とする。
【０００５】
【課題を解決する手段】
上記目的を達成するために本発明者らは、鋭意研究の結果、光触媒として電気石を粉砕したもの使用すると臭気成分を除去できること、さらに電気石に照射する光は紫外線が好ましいのではあるが、波長約４７０ｎｍの青色光であってもよく、現在周知の青色発光ダイオードを使用できること、及び生ごみの臭気の場合には、光触媒に接触させる前又は接触させる際に接触させる空気の湿度を低下させる（除湿する）と顕著な効果があることを知見して本発明に至った。
【０００６】
すなわち請求項１の発明は、空気流路中の所定箇所表面に、少なくとも粉砕した電気石を含む光触媒を定着すると共に、この光触媒を定着した箇所に対向して光触媒励起光源を設け、
さらに、前記空気流路中の光触媒を定着させた箇所の上流側に、除湿手段を設けることを特徴とする。
請求項２の発明は、空気流路中の所定箇所に光触媒励起光源を設けると共に、この光触媒励起光源に対向して加熱手段を設け、
当該加熱手段の表面に、少なくとも粉砕した電気石を含む光触媒を定着することを特徴とする。
請求項３の発明は、請求項１又は２の光触媒励起用光源が、約６０ｎｍ〜４７０ｎｍの波長の光を発する発光ダイオードであることを特徴とする。
【０００７】
【発明の実施の形態】
本発明の実施の形態について以下図面をもとに説明する。
図１は、脱臭装置の要部の概略断面図である。
１は脱臭装置のケースであり、左上面に空気吸込み口２を設けると共に、右上面に空気吹出し口３を設ける。４は、空気吸込み口２の下方に取付けたファンであり、これにより空気吸込み口２から空気吹出し口３に向けた空気流を形成する。この空気流と接するケース１の内面に、光触媒５を定着する。この光触媒５は、電気石（トルマリン）を粒径５−３０μｍ程度に粉砕したものを主成分とし、これに酸化チタン粒子及びフタロシアニン（金属フタロシアニン誘導体等のフタロシアニン化合物であってもよい）の粒子を加え混合したものである。
そして、この光触媒５に対向して光触媒励起用光源６を取付ける。
【０００８】
７は除湿手段であり、前記光触媒５を定着した位置の上流側に設ける。
生ごみ臭は湿気を含んでいること、除湿した後に光触媒に接触させると、生ごみ臭の脱臭効果が向上することを知見しこの構成にしたものである。
除湿手段７は、気密容器８に、吸気口９と排気口１０を設け、さらにこの容器８内に電気ヒータ１１を設け、除湿するものである。
【０００９】
なお、除湿手段７は、前記構成に限定するものではなく、例えば乾燥剤中を通過させるものでもよい。ただし、前記電気ヒータ１１を使用する構成にすると、除湿部分もメンテナンスフリーになるという利点がある。
【００１０】
次に別の実施形態について図面をもとに説明する。
図２は、脱臭装置の要部の概略断面図である。
前記実施形態との違いは、除湿手段を別に設けず、光触媒励起用光源６と対向してパネル状ヒータ等の加熱手段２２を設け、当該加熱手段２２の表面に光触媒５を定着することである。
光触媒５は、加熱してもその消臭効果に大きな変化がないことを利用するものであり、前記除湿手段を別に設けるものと比べ機器を小型化できるという利点がある。
【００１１】
前記各実施形態では使用する光触媒励起用光源６を限定していないが、発光ダイオードを使用すると消費電力が紫外線ランプと比べ格段に低く、また寿命も長くなる。
さらに、本発明の光触媒は、紫外線を発するダイオードのみならず青色光を発するダイオードをも使用できるという、今までの光触媒にない特徴を有する。
【００１２】
【実施例】
図３は、酸化チタンを主成分として使用した場合Ａ、活性炭を使用した場合Ｂ、本発明を使用した場合Ｃとでの臭気成分（試験ではレモンの臭気を使用した）の除去能力を比較した図表である。
本発明の光触媒（主成分電気石）は、光触媒として酸化チタンを使用したものと比べ臭気成分の除去能力に優れている。また、臭気成分の除去能力において活性炭にはやや及ばないが、臭気を吸着除去するのではなく分解除去するので交換の必要がないという利点を有する。
【００１３】
また、図４に示す如く電気石は、光を照射しなくてもアセトアルデヒド及びホルムアルデヒド等の臭気成分を除去する能力があるが、光を照射することによりその能力が向上する。
また、フタロシアニン又はその化合物は、光を照射しなくてもアセトアルデヒド及びホルムアルデヒド等の臭気成分を除去する能力があるが、図５に示す如く、光を照射することによりその能力が向上する。
以上の図３〜５に係る試験では、臭気成分としてレモンの臭気を使用したが、その他の臭気成分でも同様と思われる
なお、以上の図３〜５の試験は、図６，７に示す装置を用いて行った。
【００１４】
すなわち、１２は密閉用ケースであり、これに開口した吸気口１３、排気口１４に管１５，１６を介して濃度測定器（新コスモス電機製の商品名ＸＰ−３２９）１７を接続する。
１８は密閉用ケース１２内に設けた空気循環用ファン（メルコテクノレックス社製の商品名ＭＭＦ−０８Ｃ１２ＤＬ又はＭＭＦ−１２Ｂ１２ＤＬ）であり、これにより密閉用ケース１２内の空気を矢印にしめす如く循環させる。
１９は密閉用ケース１２内の床部に載置したプラスチック製のプレートであり、このプレート１９上に試験用の物質２０を均一に散布した。
２１は、プレート１９に対向して配置した光源（日亜化学工業製の青色発光ダイオードであり、ピーク波長４７０ｎｍ、最大定格  順電流３０ｍＡ、順電圧５Ｖ）を複数個並べたものである。
試験用の物質として使用した電気石は、粒径５〜３０μｍ程度に粉砕したものである。酸化チタンは粒径約３μｍ、活性炭は粒径約１μｍのものを使用した。また、フタロシアニンは関東化学株式会社のＣＡＴ  Ｎｏ．４８０９３−６０「フタロシアニン亜鉛」を使用した。
【００１５】
さらに、前記試験に加え、湿気を含む空気と、除湿した空気について、臭気除去能を比較試験したところ、空気清浄機通過前に１４０ｐｐｍであった臭気成分（臭気としてアンモニアを使用）が、空気清浄機通過後、湿気を含む空気の場合（湿度約８０パーセント）は８０ｐｐｍで、除湿した空気の場合（湿度４０〜５０パーセント）は１５ｐｐｍになることが分かった（図８）。
【００１６】
【発明の効果】
これを要するに、本発明では、空気清浄機の吸い込んだ空気を吹出すまでの経路中に、粉砕した電気石を主成分とする光触媒を固着した空気フィルタを取付けるとともに、当該空気フィルタに対向して光触媒励起用光源を取付けるので、この光触媒の励起により、今までの光触媒では除去できなかった臭気成分の除去が可能となった。さらに、臭気成分除去効果のある活性炭では、所定量を超えて臭気成分を除去すると交換の必要があるが、本発明のものでは交換せずに長期間使用できる。
また、光触媒を定着させた箇所の上流側に除湿手段を設けたり、光触媒励起光源に対向して加熱手段を設け、当該加熱手段の表面に光触媒を定着したりするので、生ごみ臭を含む空気の湿度が低下して、生ごみ臭を脱臭できる。
また、請求項３の発明では、光触媒励起用光源として、約６０ｎｍ〜４７０ｎｍの波長の光を発する発光ダイオードを使用するので、消費電力が紫外線ランプと比べ格段に低く、また寿命も長くなる。
【図面の簡単な説明】
【図１】脱臭装置の要部の概略断面図である。
【図２】図１とは別の実施形態になる脱臭装置の要部の概略断面図である。
【図３】本発明に係る光触媒と、酸化チタン、活性炭との臭気成分除去能力を比較した図表である。
【図４】電気石に光を照射した場合と照射しない場合との臭気成分除去能力を比較した図表である。
【図５】フタロシアニンに光を照射した場合と照射しない場合との臭気成分除去能力を比較した図表である。
【図６】試験装置の平面図である。
【図７】試験装置の側面図である。
【図８】生ごみ臭に対し、除湿した場合と除湿しない場合との臭気成分除去能力を比較した図表である。
【符号の説明】
２    空気吸込み口
３    空気吹出し口
４    ファン
５    光触媒
６    光触媒励起用光源
７    除湿手段
１１  電気ヒータ
２２  加熱手段
【図１】
2005087220.tif 000003
【図２】
2005087220.tif 000004
【図３】
2005087220.tif 000005
【図４】
2005087220.tif 000006
【図５】
2005087220.tif 000007
【図６】
2005087220.tif 000008
【図７】
2005087220.tif 000009
【図８】
2005087220.tif 000010